(57)【要約】【課題】育成床材内の仔魚の全体に対して十分な酸素供給を行うことができるようにすると共に、育成床材内の仔魚の姿勢を自然な状態に保って仔魚の健全な成長を促す。【解決手段】水槽１０と、水槽１０内に形成され、下層側に育成床材２０を積層し、育成床材２０の上層側で孵化した仔魚を育成床材２０内に収容させる孵化・育成部１１と、水槽１０内で孵化・育成部１１の周囲に形成され、孵化・仔魚管理用の水が供給される給水部１２と、水槽１０内で孵化・育成部１１の周囲に形成され、給水部１２に供給されて孵化・育成部１１を経た水を排水する排水部１３とを備え、育成床材２０を通過する水の流れが略水平方向になるように、孵化・育成部１１における育成床材２０の周囲の少なくとも給水部１２側と排水部１３側を通水自在にした。【選択図】図３
2011078375.tif 000002
【特許請求の範囲】
【請求項１】
サケ・マス類等の増殖における孵化・仔魚管理に用いられる浮上槽であって、
水槽と、該水槽内に形成され、下層側に育成床材を積層し、該育成床材の上層側で孵化した仔魚を前記育成床材内に収容させる孵化・育成部と、前記水槽内で前記孵化・育成部の周囲に形成され、孵化・仔魚管理用の水が供給される給水部と、前記水槽内で前記孵化・育成部の周囲に形成され、前記給水部に供給されて前記孵化・育成部を経た水を排水する排水部とを備え、
前記育成床材を通過する水の流れが略水平方向になるように、前記孵化・育成部における前記育成床材の周囲の少なくとも前記給水部側と前記排水部側を通水自在にしたことを特徴とする浮上槽。
【請求項２】
前記水槽内の水位を調整できるように前記排水部の内側に高さ調整自在な堰板を設けたことを特徴とする請求項１記載の浮上槽。
【請求項３】
前記水槽内で、前記孵化・育成部の外側且つ前記堰板の内側に前記孵化・育成部を経由した水を貯める水溜部が形成されていることを特徴とする請求項1又は２記載の浮上槽。
【請求項４】
前記育成床材は水平方向に延設される複数のパイプ状部材であり、該パイプ状部材は外周に網目を有することを特徴とする請求項１〜３のいずれかに記載の浮上槽。
【請求項５】
前記育成床材は、前記パイプ状部材の内部に、ねじれ面又は平面を含む板状部材が長手方向に沿って延設されていることを特徴とする請求項４に記載の浮上槽。
【請求項６】
前記水槽を上下に重ねて配置し、上段の前記水槽の排水部から排水される水を下段の前記水槽の給水部に供給することを特徴とする請求項１〜５のいずれかに記載の浮上槽。
【発明の詳細な説明】
【技術分野】
【０００１】
本発明は、サケ・マス類等の増殖における孵化・仔魚管理に用いられる浮上槽に関するものである。
【背景技術】
【０００２】
サケ・マス類等の増殖事業において、孵化した仔魚が浮上するまでの管理は養魚池若しくは浮上槽を用いて行われるのが一般的である。養魚池は、コンクリート材などで施工される比較的大規模な施設であって、仔魚床には砂利等の土木資材が用いられる。一方、浮上槽は、養魚池のように広いスペースを必要としない比較的簡易な水槽設備であり、屋内や屋外の任意の場所に設置することができ、集約的に仔魚管理を行うことができる利点を有する。近年、サケ・マス類の増殖事業の効率化が求められており、この観点からも集約的な仔魚管理を行うことができる浮上槽が見直されている。
【０００３】
図１は、浮上槽の従来技術を示す説明図（縦断面図）である（下記特許文献１参照）。従来の浮上槽は、合成樹脂製、金属板製、木板製等の直方体型の水槽Ｊ１が給水室Ｊ４、孵化室Ｊ５、排水室Ｊ６の３室に分けられ、給水室Ｊ４と孵化室Ｊ５を給水側仕切板Ｊ２で区分し、孵化室Ｊ５と排水室Ｊ６を排水側仕切板Ｊ３で区分している。
【０００４】
このような浮上槽は、図示のように、孵化用水Ｗを給水室Ｊ４へ連続的に給水し、給水用隙間開口部Ｊ７を通して孵化室Ｊ５内を用水で充満させた後、給水を連続させることによって給水室Ｊ４の水圧を高めて孵化室Ｊ５内に用水Ｗの連続上昇流Ｗａを常時生じさせ、孵化室Ｊ５外へ排水側仕切板Ｊ３の上端を越流させ、孵化室Ｊ５内の用水Ｗを排水室Ｊ６へ逐次換水して、排水口Ｊ１３を通して排水させる構造である。受卵盆Ｊ１５の上側に収容した受精卵は前述した換水状態に維持される孵化室Ｊ５内の用水Ｗ中におかれていることにより胚発生が進み、発眼を経て孵化し、孵化した仔魚は受卵盆Ｊ１５の目から抜け落ちて下網Ｊ１０の上に設置した育成床材（ネットリング等）Ｊ１２の中に入り安静期を過ごす。
【０００５】
孵化した仔魚は育成床材Ｊ１２内で内部栄養（卵黄嚢）を摂取して成長し、安静期を過ぎると外部栄養の摂取を必要とする稚魚期に入り浮上する。稚魚期に入ると、孵化室Ｊ５内の育成床材Ｊ１２を取り上げて、育成床材Ｊ１２内に生息する稚魚を強制的に孵化室５内へ移して稚魚の育成がなされる。
【先行技術文献】
【特許文献】
【０００６】
【特許文献１】実用新案登録第３１５０２１３号公報
【発明の概要】
【発明が解決しようとする課題】
【０００７】
浮上槽内で行われる仔魚の管理では、仔魚に過剰な刺激を与えないことと、無用な運動によって仔魚が卵黄嚢内の内部栄養を消費しないように仔魚を安静にさせることが重要であり、更にその重要性を確保した上で仔魚に十分な酸素を供給することが求められる。
【０００８】
従来の浮上槽では、給水側仕切板Ｊ２によって給水室Ｊ４から下網Ｊ１０の下に向かう水の流れを作り、給水用隙間開口部Ｊ７から下網Ｊ１０を通って育成床材Ｊ１２に向かう上昇流を形成することで、育成床材Ｊ１２内に潜む仔魚への酸素供給を行っている。
【０００９】
このような従来の浮上槽では、孵化した仔魚が水の流れに逆らいながら、頭を上流側に向けて酸素供給のために並ぶことになり、十分な酸素を含んだ水流が確保されている環境の良い箇所に仔魚が密集することになる。このため、育成床材Ｊ１２の下層が仔魚の密集地帯になり、育成床材Ｊ１２の下から供給される水の流れが悪くなって、十分に酸素摂取が得られない仔魚が発生する問題が生じる。
【００１０】
また、育成床材Ｊ１２内の仔魚は、下から上に向いた水の流れに対して頭を上流側に向けて並ぶので、仔魚の姿勢が頭を下にした鉛直状態になる。しかしながら、自然界で育つ仔魚がこのような姿勢を維持することはないので、この姿勢の維持によって浮上槽内で管理される仔魚の成長に悪影響が出ることが懸念される。
【００１１】
このような問題を解消するには、水流方向を変えればよいが、頻繁に水流方向を変えると、それに伴って仔魚は姿勢を変えることになるので、そのための運動で内臓器官の成長に必要な体内蓄積栄養素を消費してしまうことになり、各仔魚は成長不備でバランスが悪くなり、稚魚に至る成長に大小のバラツキが生じることになる。これによると、その後の飼育期で成長の悪い稚魚の餌取りが悪くなり、飼育期においても成長のバラツキが大きくなる。そうなると、小さな稚魚は餌が取れずに死んでいくことになるので、生産効率が悪くなる問題が生じる。すなわち、従来の浮上槽は、砂利方式の養魚池に比べて設備費が安い利点があるものの、安定した生産効率が得られない問題があった。
【００１２】
本発明は、このような問題に対処することを課題の一例とするものである。すなわち、育成床材内の仔魚の全体に対して十分な酸素供給を行うことができること、育成床材内の仔魚の姿勢を自然な状態に保って仔魚の健全な成長を促すこと、仔魚から稚魚に至る成長期の成長バランスを保ち、成長のバラツキを無くして生産効率の高い仔魚管理を行うことができること、等が本発明の目的である。
【課題を解決するための手段】
【００１３】
このような目的を達成するために、本発明による浮上槽は、以下の各独立請求項に係る構成を少なくとも具備するものである。
サケ・マス類等の増殖における孵化・仔魚管理に用いられる浮上槽であって、水槽と、該水槽内に形成され、下層側に育成床材を積層し、該育成床材の上層側で孵化した仔魚を前記育成床材内に収容させる孵化・育成部と、前記水槽内で前記孵化・育成部の周囲に形成され、孵化・仔魚管理用の水が供給される給水部と、前記水槽内で前記孵化・育成部の周囲に形成され、前記給水部に供給されて前記孵化・育成部を経た水を排水する排水部とを備え、前記育成床材を通過する水の流れが略水平方向になるように、前記孵化・育成部における前記育成床材の周囲の少なくとも前記給水部側と前記排水部側を通水自在にしたことを特徴とする浮上槽。
【発明の効果】
【００１４】
本発明は、このような特徴を有することで以下の効果を奏する。すなわち、育成床材内の仔魚の姿勢を自然な状態に保って仔魚の健全な成長を促すことができる。育成床材内の仔魚の全体に対して十分な酸素供給を行うことができる。仔魚から稚魚に至る成長期の成長バランスを保ち、成長のバラツキを無くして生産効率の高い仔魚管理を行うことができる。
【図面の簡単な説明】
【００１５】
【図１】従来技術の説明図である。
【図２】本発明の実施形態に係る浮上槽を示した平面図である。
【図３】本発明の実施形態に係る浮上槽の機能を示した説明図（図２におけるＸ−Ｘ断面図）である。
【図４】育成床材の一例を示した説明図である。同図（ａ）が平面図であり、同図（ｂ）が内部構造を説明する説明図である。
【図５】育成床材の一例を示した説明図であって、図４（ａ）における各部位の断面図である。
【図６】本発明の実施形態に係る浮上槽の使用例を示した説明図である（同図（ａ）が第１の使用例、同図（ｂ）が第２の使用例）。
【発明を実施するための形態】
【００１６】
以下、図面を参照しながら本発明の実施形態を説明する。図２は、本発明の実施形態に係る浮上槽を示した平面図である。図３は、本発明の実施形態に係る浮上槽の機能を示した説明図（図２におけるＸ−Ｘ断面図）である。
【００１７】
浮上槽１は、水槽１０と、水槽１０内に形成され、下層側に育成床材２０を積層し、育成床材２０の上層側で孵化した仔魚を育成床材２０内に収容させる孵化・育成部１１と、水槽１０内で孵化・育成部１１の周囲に形成され、孵化・仔魚管理用の水が供給される給水部１２と、水槽１０内で孵化・育成部１１の周囲に形成され、給水部１２に供給されて孵化・育成部１１を経た水を排水する排水部１３とを備え、育成床材２０を通過する水の流れが略水平方向になるように、孵化・育成部１１における育成床材２０の周囲の少なくとも給水部１２側と排水部１３側を通水自在にしている。
【００１８】
水槽１０は、図示の例では平面視矩形の直方体形状を有する箱体であるが、これに限らず立方体形状や円柱形状等であってもよい。外周壁１０Ａを備えて、その内側に、孵化・育成部１１、給水部１２、排水部１３、水溜部１４が形成されている。
【００１９】
孵化・育成部１１は、下層側に育成床材２０を積層している。必要に応じて、育成床材２０の上には孵化盆（図示省略）を配置することができる。孵化盆とは、全体に孔部が形成された板状の器であり、その上に孵化前の受精卵を載置するものである。
【００２０】
孵化・育成部１１の周囲は、育成床材２０の周囲で給水部１２側に通水自在な給水側網（ネット）壁１１Ａが形成され、育成床材２０の周囲で排水部１３側に通水自在な排水側網（ネット）壁１１Ｂが形成されている。また、孵化・育成部１１の側部には堰板１１Ｃ，１１Ｄがそれぞれ設けられている。
【００２１】
給水部１２は、水槽１０内で孵化・育成部１１の周囲に形成され、給水器の放水口Ｗ１から放出される孵化・仔魚管理用の水Ｗが供給される部分であり、供給された水Ｗが給水側網（ネット）壁１１Ａを通って孵化・育成部１１内に流れ込むように、ゲート板１２Ａが設けられている。
【００２２】
排水部１３は、水槽１０内で孵化・育成部１１の周囲に形成され、給水部１２に供給されて孵化・育成部１１を経た水を排水する部分である。排水部１３では、底面に排水口１３Ａが設けられており、水位調整用の堰板１３Ｂをオーバーフローしてきた水を排水口１３Ａから水槽１０の外に放出する。堰板１３Ｂは水槽１０内の水位を調整できるように、排水部１３の内側に高さ調整自在に設けられている。
【００２３】
水溜部１４は、水槽１０内で、孵化・育成部１１の外側且つ堰板１３Ｂの内側に形成され、孵化・育成部１１を経由した水を貯める部分である。図示の例では水溜部１４を前述した堰板１１Ｃ，１１Ｄで区切っているが、この堰板１１Ｃ，１１Ｄを通水性の網壁にして、孵化・育成部１１の側方から水溜部１４に水が流れるようにしてもよい。
【００２４】
このような浮上槽１０の機能を図３によって説明する。先ず、同図（ａ）に示すように、堰板１３Ｂの高さを高く設定して、水槽１０内で育成床材２０上に載置された受精卵Ｓが完全に浸かる水位が得られるようにする。給水部１２に水Ｗが供給されると、水槽１０内の水位調整用の堰板１３Ｂの内側に設定された水位で水が溜まる。この状態で、孵化・育成部１１における育成床材２０上に受精卵を置き、溜まった水の水位を保って受精卵の孵化を待つ。
【００２５】
受精卵Ｓが孵化すると、孵化した仔魚は下層の育成床材２０内に移り、この育成床材２０内で仔魚の管理がなされる。全ての受精卵が孵化した段階で、水位調整用の堰板１３Ｂの高さを低くし、水槽１０内の水位を育成床材２０全体が浸かる程度に低くする。これによって、給水部１２に供給された水は給水側網（ネット）壁１１Ａを通って孵化・育成部１１内に流れ込み、逆側の排水側網（ネット）壁１１Ｂを通って水溜部１４に至り、堰板１３Ｂを越えて排水部１３に至る。この際に、育成床材２０を通過する水の流れが略水平方向になる。
【００２６】
このような実施形態によると、育成床材２０内で管理される仔魚は、育成床材２０を通過する水の流れに逆らいながら頭を水の流れの上流側に向けた姿勢をとるので、仔魚の姿勢が略水平方向になり、自然環境或いは養魚池で育つ仔魚と同じ状態になる。また、給水部１２から排水部１３に向かう方向に沿って堰板１１Ｃ，１１Ｄを配置することで、水の流れをより水平方向に規制することができる。
【００２７】
図４及び図５は前述した育成床材の一例を示した説明図である。図４（ａ）が平面図であり、図４（ｂ）が内部構造を示した説明図である。図５は、図４（ａ）における各部断面図を示している。本発明の実施形態では育成床材の形態は限定されないが、仔魚の良質な育成に効果的例として以下の例を説明する。ここに示す育成床材２０は、外周が網目２１Ａを有する複数のパイプ状部材２１であって全体形状が円柱状になっている。また、内部にねじれ面２２Ａを含む板状部材２２が長手方向に沿って延設されている。板状部材２２はねじれ面を有するものかぎらず、平面を有するものであってもよい。更には、複数のパイプ状部材２１は線材がスパイラル状に絡められて、その間に網目２１Ａを形成している。
【００２８】
育成床材２０は、孵化・育成部１１の長手方向に沿って配置され、図５に示すように所定間隔離れた断面では、内部の板状部材２２のねじれ面２２Ａの角度が異なるようになっている。これによると、育成床材２０を通過する水流は全体的には水平方向に流れるが、育成床材２０の網目２１Ａを通過する水流が内部の板状部材２２のねじれ面２２Ａで方向を変えられ、様々な方向に流れるようになるので、育成床材２０内の仔魚は様々な方向に流れる水に対して分散されて位置することになり、仔魚が特定の箇所に集中するのを防ぐことができる。また、パイプ状部材２１は線材をスパイラル状に絡めているので、育成床材２０の内部ではより複雑な水流を形成することができ、育成床材２０内の仔魚に均等に酸素補給の機会を与えることが可能になる。
【００２９】
図６は、本発明の実施形態に係る浮上槽の使用例を示した説明図である（同図（ａ）が第１の使用例、同図（ｂ）が第２の使用例）。本発明の実施形態に係る浮上槽１は、水槽１０を上下に重ねて配置し、上段の水槽１０Ａの排水部１３から排水される水を下段の水槽１０Ｂの給水部１２に供給している。これによると、設置箇所のスペース効率を改善することができ且つ水の利用効率を高めることができる。同図（ａ）に示した例では、上段の水槽１０Ａと下段の水槽１０Ｂを階段状に重ねて配置している。また、同図（ｂ）に示した例では、上段の水槽１０Ａと下段の水槽１０Ｂの水流方向を逆にして、上段の水槽１０Ａの下に下段の水槽１０Ｂを配置している。
【００３０】
以上説明したように、本発明の実施形態に係る浮上槽１は、孵化・育成部１１内で育成床材２０を通過する水の流れが全体的に略水平方向になるようにして、仔魚の姿勢を自然な水平に保つようにした。これによって、天然の育成環境に近い仔魚の育成管理を行うことが可能になり、仔魚に過度のストレスを与えることなく育成することができる。更に、育成床材２０の外周のスパイラル状のネットパイプ材にしたり、育成床材２０内部にねじれ面を有する板状部材２２を配置したりすることで、育成床材２０内部の水流を複雑に変化させ、育成床材２０内の何処にいる仔魚に対しても均等に酸素供給の機会を与えるようにしている。これによって、仔魚の姿勢を自然な水平方向に保つことができると共に、仔魚の位置を孵化・育成部１１内で分散させることができる。
【００３１】
このように本発明の実施形態では、育成床材２０内の仔魚の全体に対して十分な酸素供給を行うことができ、育成床材２０内の仔魚の姿勢を自然な状態に保って仔魚の健全な成長を促すことができる。また、仔魚から稚魚に至る成長期の成長バランスを保って、成長のバラツキを無くし生産効率の高い仔魚管理を行うことができる。
【符号の説明】
【００３２】
１：浮上槽，
１０：水槽，１０Ａ：外周壁，
１１：孵化・育成部，
１１Ａ：給水側網（ネット）壁，１１Ｂ：排水側網（ネット）壁，
１１Ｃ，１１Ｄ：堰板，
１２：給水部，１２Ａ：ゲート板，
１３：排水部，１３Ａ：排水口，１３Ｂ：堰板，
１４：水溜部，
２０：育成床材，２１：パイプ状部材，２１Ａ：網目，
２２：板状部材，２２Ａ：ねじれ面
【図１】
2011078375.tif 000003
【図２】
2011078375.tif 000004
【図３】
2011078375.tif 000005
【図４】
2011078375.tif 000006
【図５】
2011078375.tif 000007
【図６】
2011078375.tif 000008